(57)【要約】【課題】  壁パネルの接合固定を一人で容易に作業できるようにし、且つ、壁パネルを上下方向に移動できない場合や壁パネルに反りがある場合においても一人作業を可能ならしめる壁パネル施工方法を提供する。【解決手段】  床のランナー９上に立設し且つ天井に固定した一方の壁パネル１ａについて、その一側面に第一ガイド板２を壁壁パネル隣接方向へ突出させて仮固定し、他側面に第二ガイド板３をスペーサ４を介在させ且つ第一ガイド板２と対向するよう仮固定し、この一方の壁パネル１ａに横並びに隣接させる他方の壁パネル１ｂについて、その側端部分を、対向した第一ガイド板２と第二ガイド板３との間に形成されている挿入空間に挿入して、一方の壁パネル１ａに隣接させ、その後、スペーサ４を除去し、第二ガイド板３を前記挿入空間の間隔を狭めるよう壁パネル側に寄せて第一ガイド板２とで壁パネル１を挟持し、そして、他方の壁パネル１ｂを一方の壁パネル１ａに連結固定し且つ床および天井に本固定し、第一ガイド板２および第二ガイド板３を除去する。【選択図】図１
2006037494.tif 000002
【特許請求の範囲】
【請求項１】
天井と床との間にて複数の壁パネルを横並びに隣接するよう立設固定させる壁パネル施工方法であって、
床のランナー上に立設し且つ天井に固定した一方の壁パネルについて、その一側面に第一ガイド板を壁壁パネル隣接方向へ突出させて仮固定し、他側面に第二ガイド板をスペーサを介在させ且つ第一ガイド板と対向するよう仮固定し、
この一方の壁パネルに横並びに隣接させる他方の壁パネルについて、その側端部を、対向した第一ガイド板と第二ガイド板との間に形成されている挿入空間に挿入し、一方の壁パネルに隣接させ、
その後、スペーサを除去し、第二ガイド板を前記挿入空間の間隔を狭めるよう壁パネル側へ寄せて、第一ガイド板とで壁パネルを挟持し、
そして、他方の壁パネルを一方の壁パネルに連結固定し且つ床および天井に本固定し、第一ガイド板および第二ガイド板を除去することを特徴とする壁パネル施工方法。
【請求項２】
スペーサを、Ｕ字状の切欠き部が設けられた板状体とし、
第二ガイド板を仮固定する際に、そのネジ具に切欠き部を係合させて、スペーサを第二ガイド板と一方の壁パネルの他側面との間に介在させ、
スペーサを除去する際に、ネジ具を緩めて切欠き部の係合を解除させて、スペーサを第二ガイド板と一方の壁パネルの他側面との間から落下除去することを特徴とする請求項１記載の壁パネル施工方法。
【請求項３】
スペーサに設けられた切欠き部の切欠き奥位置を、スペーサの重心位置よりも切欠き開放側に偏倚させておくことを特徴とする請求項２記載の壁パネル施工方法。
【請求項４】
一方の壁パネルからの第一ガイド板の突出長さを、第二ガイド板のそれよりも長くし、
その突出部分に他方の壁パネルをあてがいスライド移動させて、第一ガイド板と第二ガイド板との間の挿入空間に挿入させることを特徴とする請求項１記載の壁パネル施工方法。
【請求項５】
第二ガイド板を、他方の壁パネルの他側面に対してネジ具を中心に回動可能に仮固定し、
他方の壁パネルをスライド移動させて一方の壁パネルに隣接させる際には、第二ガイド板をその長手部分が下方向に垂下するよう回転させた状態として、他方の壁パネルを第一ガイド板に沿わせてスライド移動させ、隣接させた後は、第二ガイド板を９０°回転させて第一ガイド板と相対向する状態として、他方の壁パネルを仮固定することを特徴とする請求項１記載の壁パネル施工方法。
【請求項６】
第一ガイド板および第二ガイド板を、その突出端の内側コーナー部が面取り加工されたものとすることを特徴とする請求項１ないし５のいずれかに記載の壁パネル施工方法。
【請求項７】
第一ガイド板および第二ガイド板を、その突出端が外方に反った形状のものとすることを特徴とする請求項１ないし５のいずれかに記載の壁パネル施工方法。
【発明の詳細な説明】
【技術分野】
【０００１】
本願発明は、天井と床との間にて複数の壁パネルを横並びに隣接するよう立設固定させる壁パネル施工方法に関するものである。
【背景技術】
【０００２】
従来、間仕切壁等を構成する壁パネルを施工する際、隣接する壁パネルの位置合わせの簡略化を図るべく、接合治具を用いることが知られている（特許文献１参照）。
【０００３】
より具体的には、一方の壁パネルを床上に立設し、その上端部に接合治具を載置した後、横並びに隣接させる他方の壁パネルを吊り下げ移動し、その接合方向側面部を接合治具のガイド部により案内して一方の壁パネルと面一に揃え、そして両者を接合固定する。
【特許文献１】特開平８−１３５０５５号公報
【発明の開示】
【発明が解決しようとする課題】
【０００４】
しかしながら、上記特許文献１に記載のとおりの壁パネル施工方法では、接合治具を壁パネルの上端部に載置させる必要があるため、壁パネルの高さが天井近傍まであり、上下方向に壁パネルを移動させることができない施工場所では、採用することができない。
【０００５】
また、壁パネルの上端部のみで接合治具が働くので、壁パネル自体に反りがある場合には、面一に揃えることが困難である。
【０００６】
そこで、以上のとおりの事情に鑑み、本願発明は、壁パネル自体の構成簡略化やコストダウンはそのままに、その壁パネルの接合固定を一人で容易に作業できるようにし、且つ、壁パネルを上下方向に移動できない場合や壁パネルに反りがある場合においても一人作業を可能ならしめる壁パネル施工方法を提供することを課題としている。
【課題を解決するための手段】
【０００７】
本願発明は、上記の課題を解決するものとして、第１には、天井と床との間にて複数の壁パネルを横並びに隣接するよう立設固定させる壁パネル施工方法であって、床のランナー上に立設し且つ天井に固定した一方の壁パネルについて、その一側面に第一ガイド板を壁パネル隣接方向へ突出させて仮固定し、他側面に第二ガイド板をスペーサを介在させ且つ第一ガイド板と対向するよう仮固定し、この一方の壁パネルに横並びに隣接させる他方の壁パネルについて、その側端部を、対向した第一ガイド板と第二ガイド板との間に形成されている挿入空間に挿入し、一方の壁パネルに隣接させ、その後、スペーサを除去し、第二ガイド板を前記挿入空間の間隔を狭めるよう壁パネル側へ寄せて、第一ガイド板とで壁パネルを挟持し、そして、他方の壁パネルを一方の壁パネルに連結固定し且つ床および天井に本固定し、第一ガイド板および第二ガイド板を除去することを特徴とする。
【０００８】
第２には、本願発明は、スペーサを、Ｕ字状の切欠き部が設けられた板状体とし、第二ガイド板を仮固定する際に、そのネジ具に切欠き部を係合させて、スペーサを第二ガイド板と一方の壁パネルの他側面との間に介在させ、スペーサを除去する際に、ネジ具を緩めて切欠き部の係合を解除させて、スペーサを第二ガイド板と一方の壁パネルの他側面との間から落下除去することをも特徴とする。
【０００９】
第３には、本願発明は、スペーサに設けられた切欠き部の切欠き奥位置を、スペーサの重心位置よりも切欠き開放側に偏倚させておくことをも特徴とする。
【００１０】
第４には、本願発明は、一方の壁パネルからの第一ガイド板の突出長さを第二ガイド板のそれよりも長くし、その突出部分に他方の壁パネルをあてがいスライド移動させて、第一ガイド板と第二ガイド板との間の挿入空間に挿入させることを特徴とする。
【００１１】
第５には、本願発明は、第二ガイド板を他方の壁パネルの他側面に対してネジ具を中心に回動可能に仮固定し、他方の壁パネルをスライド移動させて一方の壁パネルに隣接させる際には、第二ガイド板をその長手部分が下方向に垂下するよう回転させた状態として、他方の壁パネルを第一ガイド板に沿わせてスライド移動させ、隣接させた後は、第二ガイド板を９０°回転させて第一ガイド板と相対向する状態として、他方の壁パネルを仮固定することを特徴とする。
【００１２】
第６には、本願発明は、第一ガイド板および第二ガイド板を、その突出端の内側コーナー部が面取り加工されたものとすることをも特徴とする。
【００１３】
第７には、本願発明は、第一ガイド板および第二ガイド板を、その突出端が外方に反った形状のものとすることをも特徴とする。
【発明の効果】
【００１４】
上記第１の発明によれば、壁パネル自体に特殊な構造や材質を用いることなく、第一ガイド板、第二ガイド板、スペーサを用いるだけで、壁パネルを上下方向に移動できない場合や壁パネルに反りがある場合においても、壁パネルの接合固定を作業者一人で容易に行えるようになる。
【００１５】
上記第２および第３の発明によれば、上記第１の施工方法と同様な効果が得られ、また、スペーサの取付および除去をより容易に行うことができる。
【００１６】
上記第４および第５の発明によれば、上記第１の施工方法と同様な効果が得られ、また、他方の壁パネルの施工をより容易に、且つパネル板材を傷つけることなく、安全に行うことができる。
【００１７】
上記第６および第７の発明によれば、上記第１の施工方法と同様な効果が得られ、また、他方の壁パネルの施工をより容易に、且つパネル板材を傷つけることなく、安全に行うことができる。
【発明を実施するための最良の形態】
【００１８】
［第1の実施形態］
図１〜図３は、各々、上記のとおりの特徴を有する本願発明の一実施形態を示したものである。
【００１９】
これら図１〜図３に示した一実施形態は、床スラブ６１、脚６２および床下地材６３で構成される二重床６と、天井スラブ７１、アンカー７２および天井材７３で構成される二重天井７との間にて、間仕切壁を構成する複数の壁パネル１を順次、戸境壁８に向かって床下地材６３に敷設されたランナー９上を横スライドさせて、横並びに隣接させるよう立設固定する場合のものである。各壁パネル１は、芯材１１とその両面の石膏ボード等の板材１２とで構成されており、その上端部は、図１では天井材７３下方に配設された野縁や軽鉄スタッド等の横材１０に固定され、図２では天井材７３に固定されている。
【００２０】
この場合において、戸境壁８側の一方の壁パネル１ａは、既に、ランナー９上に立設され且つ横材１０（図１の場合）または天井材７３（図２の場合）に固定されているものとする。
【００２１】
この一方の壁パネル１ａに対して次の壁パネル１（他方の壁パネル１ｂと呼ぶこととする）を横並びに隣接させるよう立設固定するのであるが、その施工は、次のとおりに行う。
【００２２】
まず、一方の壁パネル１ａの一側面に、第一ガイド板２を仮固定する。このとき、第一ガイド板２は、壁パネル隣接方向へある程度突出させておく。
【００２３】
次に、一方の壁パネル１ａの他側面つまり反対側の面に、第二ガイド板３を、第一ガイド板２と同様に壁パネル隣接方向へある程度突出させて仮固定する。これにより、壁パネル１ａを挟んで相対向するように仮固定された第一ガイド板２および第二ガイド板３の突出部分間には、後述する他方の壁パネル１ｂ用の挿入空間が形成される。この第二ガイド板３については、さらに、仮固定する一方の壁パネル１ａの他側面との間にスペーサ４を介在させておく。
【００２４】
これら第一ガイド板２および第二ガイド板３は、互いに同形状の一対のガイド板とすることができ、スペーサ４とともに、壁パネル仮固定用治具として機能することになる。この仮固定治具は、作業者の胸元辺りで施工可能であるため、横材１０の邪魔にならず、脚立等に上がって不安定な状態で作業する必要もない。壁パネル１ａへの仮固定は、たとえば図２に例示したように、ネジ具５を外側から壁パネル１ａへ捻じ込むことで行うことができる。ネジ具５は取外し可能としておく。
【００２５】
続いて、他方の壁パネル１ｂを、ランナー９上を滑らせながらその側端部分を上記のとおりの挿入空間に挿入し、一方の壁パネル１ａに隣接させる。
【００２６】
その後、第二ガイド板３側のスペーサ４を除去し、第二ガイド板３を挿入空間の間隔を狭めるよう壁パネル側へ寄せて、第一ガイド板２とで、隣接した一方の壁パネル１ａおよび他方の壁パネル１ｂ両方を挟持する。これにより、たとえば、壁パネル１間の段差を第一ガイド板２と第二ガイド板３とにより締め込んで矯正することができる。特に壁パネル１に反りがある場合にはこの段差が顕著に現れるため、第一ガイド板２および第二ガイド板３による矯正がより有用となる。
【００２７】
そして、他方の壁パネル１ｂを、一方の壁パネル１ａにネジ具５等により連結固定し、且つ二重床６および二重天井７に本固定し、最後に第一ガイド板２および第二ガイド板３をネジ具５を取り外して除去する。
【００２８】
この本固定を行う前には、他方の壁パネル１ｂの上側を何等かの矯正治具により挟み込んで、反りを追加矯正することもできる。また、反りが大きい場合には、ランナー９への仮固定を行うようにしてもよい。
【００２９】
以上によれば、前記特許文献１記載のような接合治具を壁パネル１の上端部に載置させる必要がなく、壁パネル１自体の移動も横方へのスライドのみでよいため、壁パネル１の高さが天井近傍まであり、上下方向に壁パネル１を移動させることができない施工場所であっても、施工作業を一人で容易に行うことができ、また、壁パネル１の高さ方向の略中央位置にて第一ガイド板２、第二ガイド板３およびスペーサ４とで構成される上記仮固定治具が働くので、壁パネル１自体に反りがある場合であっても、作業者一人で容易にその反りを矯正し、各壁パネル１を面一に揃えて施工できる。
【００３０】
なお、スペーサ４については、たとえば図４に例示したように、Ｕ字状の切欠き部４１が設けられた板状体のものとすることができ、この場合、第二ガイド板３を仮固定する際には、ネジ具５に切欠き部４１を係合させて、スペーサ４を第二ガイド板３と一方の壁パネル１ａの他側面との間に介在取付し、スペーサ４を除去する際には、ネジ具５を緩めて切欠き部４１の係合を解除させて、スペーサ４を第二ガイド板３と一方の壁パネル１ａの他側面との間から落下除去する施工方法を採用できる。
【００３１】
またこのとき、たとえば図５に例示したように、スペーサ４に設けられた切欠き部４１の切欠き奥位置を、スペーサ４の重心位置よりも切欠き開放側に偏倚させておくことが好ましく、これにより、ネジ具５を緩めるだけで、スペーサ４がよりスムーズに回転して落下するため、スペーサ４の取付および除去をさらに一層容易に行うことができる。
【００３２】
［第２の実施形態］
ところで、上記第１の実施形態においては第一ガイド板２および第二ガイド板３が同一形状のものとなっているが、たとえば図６および図７に例示したように、スペーサ４を介在させない第一ガイド板２を、第二ガイド板３よりも長尺な板材でなるものとし、一方の壁パネル１ａへの仮固定時に第二ガイド板３よりも多く突き出させ、つまり一方の壁パネル１ａの側端部から隣接方向へ突出させる部分を第二ガイド板３の突出部分よりも長くするようにもできる。
【００３３】
この場合では、他方の壁パネル１ｂを、上記のとおりに一方の壁パネル１ａへ隣接させる際に、その第一ガイド板２の突出部分にあてがいスライド移動させて、前記挿入空間に挿入させることができ、これにより、より容易な施工を実現できるようになる。
【００３４】
［第３の実施形態］
図８および図９は、各々、本願発明のさらに別の一実施形態を示したものである。
【００３５】
この実施形態は、上記第２の実施形態のように第一ガイド板２を第二ガイド板３よりも長尺な板材とすることなく、第一ガイド板２を他方の壁パネル１ｂのスライド移動時のあてがい材として機能させるようにしたものである。
【００３６】
より具体的には、第一ガイド板２および第二ガイド板３の形状はそのままに、第二ガイド板３を、ネジ具５を中心に回動可能となるように仮固定する。
【００３７】
そして、他方の壁パネル１ｂをスライド移動させる際には、第二ガイド板３を、その長手部分が下方向に垂下するようネジ具５を中心に回転させた状態としておくことで（図中、実線で示した状態）、第一ガイド板２のみが一方の壁パネル１ａの側端部から突出した状態となり、他方の壁パネル１ｂを第一ガイド板２に沿わせてスライド移動させることができる。
【００３８】
さらに、パネル木口を互いに突き合わせて隣接させた後は、下方向に垂れ下がっている第二ガイド板３を、ネジ具５を中心に９０°回転させて第一ガイド板２と相対向する状態にし（図中、点線で示した状態）、他方の壁パネル１ｂを仮固定することができる。
【００３９】
後は、他の実施形態と同様に、スペーサ４を取り除き、第一ガイド板２と第二ガイド板３とで壁パネル１を挟持し、本固定の後、第一ガイド板２および第二ガイド板３を取り外す。
【００４０】
これにより、他方の壁パネル１ｂをスライド移動させる際に、その板材１２を第二ガイド板３に当てることなく、損傷がなくなり、より安全に施工できるようになる。
【００４１】
［第４の実施形態］
第一ガイド板２および第二ガイド板３については、さらに、たとえば図１０に例示したように、突出端の内側コーナー部が面取り加工されたものを用いることができ、これによれば、他方の壁パネル１ｂをその板材１２を第一ガイド板２、第二ガイド板３に当てて傷つけることなく、より安全に挿入空間に挿入させることができる。
【００４２】
［第５の実施形態］
第一ガイド板２および第二ガイド板３は、さらにまた、たとえば図１１に例示したように、突出端が外方に反った形状のものを用いることができ、これによれば、図１０の場合と同様に、他方の壁パネル１ｂをその板材１２を第一ガイド板２、第二ガイド板３に当てて傷つけることなく、より安全に挿入空間に挿入させることができる。
【図面の簡単な説明】
【００４３】
【図１】（ａ）（ｂ）は、各々、第一の実施形態について説明するための正面図および側面図である。
【図２】第１の実施形態について説明するための斜視図である。
【図３】第一の実施形態について説明するための断面図である。
【図４】スペーサを例示した正面図である。
【図５】別のスペーサを例示した正面図である。
【図６】第２の実施形態について説明するための斜視図である。
【図７】第２の実施形態について説明するための断面図である。
【図８】第３の実施形態について説明するための斜視図である。
【図９】第３の実施形態について説明するための断面図である。
【図１０】第４の実施形態について説明するための断面図である。
【図１１】第５の実施形態について説明するための断面図である。
【符号の説明】
【００４４】
１，１ａ，１ｂ  壁パネル
１１  芯材
１２  板材
２  第一ガイド板
３  第二ガイド板
４  スペーサ
４１  切欠き部
５  ネジ具
６  二重床
６１  床スラブ
６２  脚
６３  床下地材
７  二重天井
７１  天井スラブ
７２  アンカー
７３  天井材
８  戸境壁
９  ランナー
１０  横材
【図１】
2006037494.tif 000003
【図２】
2006037494.tif 000004
【図３】
2006037494.tif 000005
【図４】
2006037494.tif 000006
【図５】
2006037494.tif 000007
【図６】
2006037494.tif 000008
【図７】
2006037494.tif 000009
【図８】
2006037494.tif 000010
【図９】
2006037494.tif 000011
【図１０】
2006037494.tif 000012
【図１１】
2006037494.tif 000013